(57)【要約】【課題】塵埃を圧縮する為に別体の圧縮ロッドを必要とすることなく、被清掃面から塵埃を効率的に除去及び圧縮できる効果を備えた塵埃除去機構を提供する。【解決手段】被清掃面に付着した塵埃等を除去する為の塵埃除去機構において、前記塵埃除去機構は、被清掃面の塵埃等を除去する塵埃除去手段と、前記塵埃除去手段に付着した塵埃を圧縮除去する為の除塵体と、前記除塵体から剥離除去された塵埃を一時保管する為のダストボックスとを有し、前記除塵体は、概くし状体であって、概くし状体は、塵埃除去手段をスリットに導く為の略Ｖ字形状の傾斜面を有するくし歯列が、長手方向に略直交するように複数列形成されてあるもので、被清掃面に付着した塵埃等をスリットにて除去すると共に、略Ｖ字形状の傾斜面を有するくし歯列にて塵埃を圧縮できる。また、除塵体のみにて塵埃の除去及び圧縮ができるため、効率的かつ安価に塵埃を除去及び圧縮できる。【選択図】図２
2015192836.tif 000002
【特許請求の範囲】
【請求項１】
被清掃面に付着した塵埃等を除去する為の塵埃除去機構において、前記塵埃除去機構は、被清掃面の塵埃等を除去する塵埃除去手段と、前記塵埃除去手段に付着した塵埃を圧縮除去する為の除塵体と、前記除塵体から剥離除去された塵埃を一時保管する為のダストボックスとを有し、前記除塵体は、概くし状体であって、概くし状体は、塵埃除去手段をスリットに導く為の略Ｖ字形状の傾斜面を有するくし歯列が、長手方向に略直交するように複数列形成されてあることを特徴とする塵埃除去機構。
【請求項２】
被清掃面は筒状の外周面に形成されてあり、塵埃除去手段は回転ブラシにて形成されてあると共に、前記被清掃面及び前記塵埃除去手段は互いに速度差を有して同一方向に回転することを特徴とする請求項１に記載の塵埃除去機構。
【発明の詳細な説明】
【技術分野】
【０００１】
本発明は、被清掃面に付着した塵埃等を除去する為の塵埃除去機構に関するものである。
【背景技術】
【０００２】
従来の塵埃除去機構として、ブラシ収納部と通風路とを、回転ブラシとほぼ同等長さのスリット状の開口で連通したものが開示されている（例えば、特許文献１参照）。
【０００３】
また、塵埃取入口の近傍に圧縮ロッドを回転自在に支持し、圧縮ロッドを回転駆動することによって塵埃を塵埃収納部内に圧縮状態で収納するものも開示されている（例えば、特許文献２参照）。
【先行技術文献】
【特許文献】
【０００４】
【特許文献１】特開２００６−７１１２１号公報
【特許文献２】特開２００９−２２９０４９号公報
【発明の概要】
【発明が解決しようとする課題】
【０００５】
しかしながら、上記特許文献１に記載されたような従来の構造では、開口により、回転ブラシで掻き取った塵埃を通風路と連通する吸引装置に導くことができるが、塵埃を圧縮できないという課題があった。
【０００６】
また、上記特許文献２に記載されたような従来の構造では、回転ブラシから除去されて落下してきた塵埃を、圧縮ロッドを回転駆動することによって塵埃を塵埃収納部内に圧縮状態で収納する構造である為、塵埃を圧縮する為に、ブラシ清掃部材とは別体の圧縮ロッドが必要となるといった課題があった。
【０００７】
本発明は、前記従来の課題を解決するもので、塵埃を圧縮する為に別体の圧縮ロッドを必要とすることなく、被清掃面から塵埃を効率的に除去及び圧縮できる効果を備えた塵埃除去機構を提供することを目的とする。
【課題を解決するための手段】
【０００８】
前記従来の課題を解決するために、本発明の塵埃除去機構は、被清掃面に付着した塵埃等を除去する為の塵埃除去機構において、前記塵埃除去機構は、被清掃面の塵埃等を除去する塵埃除去手段と、前記塵埃除去手段に付着した塵埃を圧縮除去する為の除塵体と、前記除塵体から剥離除去された塵埃を一時保管する為のダストボックスとを有し、前記除塵体は、概くし状体であって、概くし状体は、塵埃除去手段をスリットに導く為の略Ｖ字形状の傾斜面を有するくし歯列が、長手方向に略直交するように複数列形成されてあるもので、被清掃面に付着した塵埃等をスリットにて除去すると共に、略Ｖ字形状の傾斜面を有するくし歯列にて塵埃を圧縮できる。また、除塵体のみにて塵埃の除去及び圧縮ができるため、効率的かつ安価に塵埃を除去及び圧縮できる。
【０００９】
また、本発明の塵埃除去機構は、請求項１に記載の塵埃除去機構において、被清掃面は筒状の外周面に形成されてあり、塵埃除去手段は回転ブラシにて形成されてあると共に、前記被清掃面及び前記塵埃除去手段は互いに速度差を有して同一方向に回転するもので、被清掃面及び塵埃除去手段の有する速度差により、被清掃面に付着した塵埃等を、同一速度の場合に比べて、より掻き出すことができ、効率的な塵埃除去をする事ができる。
【発明の効果】
【００１０】
本発明の塵埃除去機構は、被清掃面に付着した塵埃等を除塵体のみにて除去及び圧縮するもので、これを使用することにより効率的かつ安価に塵埃を除去及び圧縮できる塵埃除去機構を提供することができる。
【図面の簡単な説明】
【００１１】
【図１】本発明に係る塵埃除去機構を使用した清掃用ローラーの斜視図
【図２】本発明に係る塵埃除去機構を示す図１のＡ−Ａ断面図
【図３】（ａ）除塵体を示す図２のＢ矢視図、（ｂ）図３（ａ）のＣ−Ｃ断面図
【図４】（ａ）他の実施の形態の除塵体を示す断面図、（ｂ）図４（ａ）のＤ矢視図、（ｃ）塵埃の圧縮状態を示す要部詳細図
【図５】（ａ）本発明に係る塵埃除去機構の他の実施の形態を示す要部詳細図、（ｂ）本発明に係る塵埃除去機構の他の実施の形態を示す要部詳細図
【図６】（ａ）本発明に係る塵埃除去機構の他の実施の形態の除塵体を示す正面図、（ｂ）図６（ａ）の平面図
【図７】（ａ）本発明に係る塵埃除去機構の他の実施の形態の除塵体を示す正面図、（ｂ）図７（ａ）の平面図
【発明を実施するための形態】
【００１２】
第１の発明は、被清掃面に付着した塵埃等を除去する為の塵埃除去機構において、前記塵埃除去機構は、被清掃面の塵埃等を除去する塵埃除去手段と、前記塵埃除去手段に付着した塵埃を圧縮除去する為の除塵体と、前記除塵体から剥離除去された塵埃を一時保管する為のダストボックスとを有し、前記除塵体は、概くし状体であって、概くし状体は、塵埃除去手段をスリットに導く為の略Ｖ字形状の傾斜面を有するくし歯列が、長手方向に略直交するように複数列形成されてあるもので、被清掃面に付着した塵埃等をスリットにて除去すると共に、略Ｖ字形状の傾斜面を有するくし歯列にて塵埃を圧縮できる。また、除塵体のみにて塵埃の除去及び圧縮ができるため、効率的かつ安価に塵埃を除去及び圧縮できる。
【００１３】
第２の発明は、第１の発明の塵埃除去機構において、被清掃面は筒状の外周面に形成されてあり、塵埃除去手段は回転ブラシにて形成されてあると共に、前記被清掃面及び前記塵埃除去手段は互いに速度差を有して同一方向に回転するもので、被清掃面及び塵埃除去手段の有する速度差により、被清掃面に付着した塵埃等を、同一速度の場合に比べて、より掻き出すことができ、効率的な塵埃除去をする事ができる。
【００１４】
以下、本発明の実施の形態について、図面を参照しながら説明する。なお、この実施の形態によって本発明が限定されるものではない。
【００１５】
（実施の形態１）
図１は、本発明に係る塵埃除去機構を使用した清掃用ローラーの斜視図、図２は、本発明に係る塵埃除去機構を示す図１のＡ−Ａ断面図、図３（ａ）は、除塵体を示す図２のＢ矢視図、図３（ｂ）は、図３（ａ）のＣ−Ｃ断面図である。
【００１６】
図１において、清掃用ローラー１は、シャフト２の一端にハンドル４が形成されてあると共に、他端に本体部３が形成されてある。本体部３は、図２の如く、シャーシ５の内部に、塵埃除去機構６が形成されてある。塵埃除去機構６は、塵埃除去手段としての回転ブラシ７と、除塵体８と、ダストボックス９が形成されてある。回転ブラシ７は、軸部１４の外周に多数本のブラシ毛１５が植設されて形成されてある。また、床面１８にたいして回動可能な車輪１０が形成されてあり、床面１８と所定の隙間８０を有して床面に付着した塵埃１６を吸着させる為の吸着ローラー１３が形成されてある。吸着ローラー１３は、芯部１１の外周面に吸着層１２が形成されてある。吸着層１２へ、床面１８に付着した塵埃１６を吸着させる方法は、例えば吸着層１２に電荷を付加させる方法等、目的に応じてさまざまな方法が選択できる。
【００１７】
吸着ローラー１３は、モーター等の駆動源（図示せず）により、清掃用ローラー１の前後方向への操作時に関わらず、常に回転方向Ｙに回転するよう形成されてある。吸着ローラー１３と回転ブラシ７は、タイミングベルト１７にて、回転方向Ｙに回転すると共に、回転ブラシ７の回転速度が、吸着ローラー１３の回転速度よりも遅くなるように、連動されてある。その為、吸着ローラー１３の外周面に形成された吸着層１２に付着した塵埃１６は、回転ブラシ７に形成されたブラシ毛１５間に、押し付けられるようにして除去される。その為、回転ブラシ７と吸着ローラー１３の回転速度が略同一の場合に比べて、吸着層１２上の塵埃１６の付着残りをより軽減できると共に、塵埃１６が回転ブラシ７から脱落する事なく、より確実に塵埃１６を除去できる。また、除塵体８は、図３（ａ）の如く、基部２０の上部に、くし状体５０が形成されてあり、くし状体５０は、図３（ｂ）の如く、略Ｖ字形状の傾斜面２２、２２を有するくし歯列２３が、長手方向に略直交するように複数列形成されてあり、回転ブラシ７に形成されたブラシ毛１５に当接して形成されてある。
【００１８】
次に、床面１８に付着した塵埃１６の除去手順について説明する。床面１８の塵埃１６は、清掃用ローラー１を前後に操作することにより、吸着ローラー１３に形成された吸着層１２に付着する。吸着層１２に付着した塵埃１６は、回転ブラシ７に形成されたブラシ毛１５により除去された後、ブラシ毛１５に当接した除塵体８にて除去される。除塵体８は、図３（ｂ）の如く、略Ｖ字形状の傾斜面２２が形成されてあると共に、略Ｖ字形状の傾斜面２２、２２の間にスリット１９が形成されてある為、ブラシ毛１５は、傾斜面２２、２２に当接してスリット１９に導かれる。この時、塵埃１６は傾斜面２２、２２にて圧縮されて圧縮塵埃２６となり、ダストボックス９内に落下する。
【００１９】
なお、上記の実施の形態１においては、塵埃除去手段として回転ブラシ７が採用されてあるが、吸着層１２上の塵埃１６を除去できる形態であれば、回転ブラシ７以外にも例えば、直線ブラシや傾斜パイル等を使用して吸着層１２上の塵埃１６を除去する事も、本発明に含まれる。また、塵埃除去手段に付着させた塵埃１６を除塵体８に当接させる方法についても、回転ブラシ７を回転させて除塵体８に当接させる方法以外にも、例えば、塵埃１６が付着した直線ブラシや傾斜パイル等を除塵体８に当接するように移動させる事ができる構造であれば、いずれの方法も採用できる。
【００２０】
さらにまた、実施の形態１においては、回転ブラシ７の回転速度が、吸着ローラー１３の回転速度よりも遅くなるように連動されてあるが、回転ブラシ７の回転速度が、吸着ローラー１３の回転速度よりも速くなるように連動されてある構造も、本発明に含まれる。回転ブラシ７の回転速度が、吸着ローラー１３の回転速度よりも速くなるように連動されてある場合には、吸着層１２に付着した塵埃１６は、回転ブラシ７に形成されたブラシ毛１５により、叩き付けられると共に、掻き出されるようにして除去される。その為、回転ブラシ７と吸着ローラー１３の回転速度が略同一の場合に比べて、強い付着力にて吸着層１２上に付着している塵埃１６であっても、吸着層１２上の塵埃１６の付着残りをより軽減できると共に、より確実に塵埃１６を除去できる。
【００２１】
（実施の形態２）
図４（ａ）は、他の実施の形態の除塵体を示す断面図、図４（ｂ）は、図４（ａ）のＤ矢視図、図４（ｃ）は、塵埃の圧縮状態を示す要部詳細図である。
【００２２】
図４（ａ）において、除塵体３８は、ブラシ毛１５に当接して形成されてあり、図４（ｂ）の如く、くし状体６０が形成されてあり、くし状体６０は、略Ｖ字形状の傾斜面３２、３２を有する概菱形形状のくし歯列３３が、長手方向に略直交するように複数列形成されてある。また、傾斜面３２、３２の間には、角部３４を有するスリット３９が形成されてある為、ブラシ毛１５は、傾斜面３２、３２に当接して、スリット３９に導かれる。この時、塵埃１６は、図４（ｃ）の如く、傾斜面３２、３２にて圧縮されて圧縮塵埃３６となり、ダストボックス９内に落下する。また、くし状体６０にはダストボックス側に傾斜するようなスロープ３５が形成されてある為、圧縮塵埃３６のダストボックス９内への落下を、スムーズにしている。
【００２３】
（実施の形態３及び実施の形態４）
図５（ａ）は、本発明に係る塵埃除去機構の他の実施の形態を示す要部詳細図、図５（ｂ）は、本発明に係る塵埃除去機構の他の実施の形態を示す要部詳細図である。
【００２４】
図５（ａ）は、実施の形態３であり、塵埃除去機構５６が形成されてある。塵埃除去機構５６は、塵埃除去手段としての回転ブラシ５７と、除塵体８と、ダストボックス９が形成されてある。被清掃面は床面１８であり、実施の形態３では、床面１８の塵埃１６は、塵埃除去機構５６を構成する回転ブラシ５７を、モーター等の駆動源（図示せず）にて回転方向Ｙに回転させることにより、回転ブラシ５７にて除去された後、ブラシ毛１５に当接した除塵体８にて除去され、圧縮されて圧縮塵埃２６となり、ダストボックス５９内に落下する。
【００２５】
図５（ｂ）は、実施の形態４であり、塵埃除去機構６６が形成されてある。塵埃除去機構６６は、塵埃除去手段としての回転ブラシ６７と、除塵体８と、ダストボックス６９が形成されてある。被清掃面は、空気調和機や、プロジェクター等に搭載されてあるフィルター７０である。実施の形態４では、フィルター７０に付着した塵埃１６は、塵埃除去機構６６を構成する回転ブラシ６７を、モーター等の駆動源（図示せず）にて回転方向Ｙに回転させることにより、回転ブラシ６７にて除去された後、ブラシ毛１５に当接した除塵体８にて除去され、圧縮されて圧縮塵埃２６となり、ダストボックス６９内に落下する。
【００２６】
（実施の形態５及び実施の形態６）
図６（ａ）は、本発明に係る塵埃除去機構の他の実施の形態の除塵体を示す正面図、図６（ｂ）は、図６（ａ）の平面図である。図７（ａ）は、本発明に係る塵埃除去機構の他の実施の形態の除塵体を示す正面図、図７（ｂ）は、図７（ａ）の平面図である。
【００２７】
図６（ａ）及び（ｂ）は、実施の形態５であり、除塵体４８が採用されてある。除塵体４８は、図６（ａ）の如く、基部９０の上部に、くし状体６１が形成されてあり、くし状体６１は、図６（ｂ）の如く、略Ｖ字形状の傾斜面４２、４２を有するくし歯列４３が、基部９０の上面の長手方向に略直交するように複数列形成されてあり、前記実施の形態１から４における、回転ブラシ７、５７、６７に当接して形成する構造を採用できる。また、除塵体４８は、図６（ａ）の如く、長手方向の中央部７１が長手方向の両側の端部７２にたいして低くなるよう徐変する傾斜部７４が形成されてあると共に、図６（ｂ）の如く、長手方向にたいして湾曲面７３が形成されてある。除塵体４８は、前記の如く形成されてある為、ブラシ毛１５に付着した塵埃１６は、傾斜面４２、４２にて圧縮されると共に、傾斜部７４及び湾曲面７３にて中央部７１に集められる。その為、圧縮された塵埃１６を中央部７１に集めることができる。
【００２８】
図７（ａ）及び（ｂ）は、実施の形態６であり、除塵体５８が採用されてある。除塵体５８は、図７（ａ）の如く、基部１００の上部に、複数のくし状体６２、６２が形成されてあり、くし状体６２、６２は、基部１００の底部７５の長手方向に直交する端部７６にたいして傾斜角度θを有して形成されてある。また、除塵体５８は長手方向の中央部８１が長手方向の両側の端部７６にたいして低くなるよう徐変する湾曲面８３が形成されてあると共に、図７（ｂ）の如く、長手方向にたいして湾曲面８４が形成されてある。除塵体５８は、くし状体６２、６２が端部７６にたいして傾斜角度θを有して形成されてある為、端部７６にたいして傾斜角度θを有しない構造、換言すれば、端部７６に略平行に、くし状体６２、６２が形成されてある構造に比べて、ブラシ毛１５にたいして傾斜角度θを有して、くし状体６２、６２を当接させる事ができ、ブラシ毛１５に付着した塵埃１６を削ぎ取るようにして、除去する事ができる。また、除塵体５８は、湾曲面８３及び湾曲面８４が形成されてあるので、回転ブラシ７、５７、６７にたいして曲線的に当接させることができ、ブラシ毛１５から除去した塵埃１６を、基部１００の底部７５の長手方向、及び基部１００の底部７５の長手方向に直交する方向の両方向において、中央部８１に確実に集める事ができる。
【００２９】
また、本発明は、被清掃面に付着した塵埃等を除去する為の塵埃除去機構であり、被清掃面は、上記以外にも、塵埃が付着する対象物であれば、本発明の被清掃面に含まれるものである。また、本発明の塵埃除去機構を搭載する装置についても、上記の実施の形態以外にも、各種家電製品や産業用機器等、多岐にわたり、適用できる。
【産業上の利用可能性】
【００３０】
以上のように、本発明に係る塵埃除去機構は、被清掃面に付着した塵埃等を除去することができるもので、清掃用ローラーや、床面清掃用、空気調和機やプロジェクターに搭載されたフィルターの清掃用に限らず、塵埃除去機構を用いた各種機器に応用できるものである。
【符号の説明】
【００３１】
１  清掃用ローラー
２  シャフト
３  本体部
４  ハンドル
５  シャーシ
６、５６、６６  塵埃除去機構
７、５７、６７  回転ブラシ
８、３８、４８、５８  除塵体
９、５９、６９  ダストボックス
１０  車輪
１１  芯部
１２  吸着層
１３  吸着ローラー
１４  軸部
１５  ブラシ毛
１６  塵埃
１７  タイミングベルト
１８  床面
１９、３９  スリット
２０、９０、１００  基部
２１  除塵部
２２、３２、４２  傾斜面
２３、３３、４３  くし歯列
２６、３６  圧縮塵埃
３４  角部
３５  スロープ
５０、６０、６１、６２  くし状体
７０  フィルター
７１、８１  中央部
７２、７６  端部
７３、８３、８４  湾曲面
７４  傾斜部
７５  底面
８０  隙間
θ  傾斜角度
Ｙ  回転方向
【図１】
2015192836.tif 000003
【図２】
2015192836.tif 000004
【図３】
2015192836.tif 000005
【図４】
2015192836.tif 000006
【図５】
2015192836.tif 000007
【図６】
2015192836.tif 000008
【図７】
2015192836.tif 000009